(57)【特許請求の範囲】
【請求項１】
複数の図柄表示部のそれぞれにおいて図柄を変動表示及び静止表示可能な図柄表示手段と、該図柄表示手段の前面側に配されて前記各図柄表示部に対応する複数の重畳表示域にて前記図柄表示部の表示に重畳する表示を行う前面側表示手段とを備える図柄表示装置において、
前記前面側表示手段の中心軸上に設定される中心視点を中心として前後方向に±１５ｃｍ左右方向に±３０ｃｍの想定範囲内での遊技者の姿勢変化があっても該遊技者に認識される前記図柄表示部と重畳表示域との対応を確保して前記重畳表示域を透かしては該重畳表示域に対応する前記図柄表示部以外であって、該図柄表示部の隣の前記図柄表示部の前記図柄を視認不可能にすべく、前記図柄表示部と重畳表示域との相対位置または前記図柄表示部の寸法と重畳表示域の寸法との相対関係及び前記重畳表示域の寸法と前記図柄の寸法との相対関係が設定されている
ことを特徴とする図柄表示装置。
【発明の詳細な説明】
【０００１】
【発明の属する技術分野】
本発明は、遊技機に装備される図柄表示装置の技術分野に属する。
【０００２】
【従来の技術】
遊技機には図柄表示装置にて図柄を変動表示した後に静止表示し、その静止表示された図柄の組み合わせが当たりを示す組み合わせであると、遊技者側に景品体（メダルや賞球）を払い出したり、多数の景品体を獲得しやすい遊技状態（特別遊技、特賞などと呼ばれる状態）になるものがある。前者（図柄によって景品体を払い出す形態）の代表的なものにスロットマシンがあり、後者（遊技状態を変化させる形態）の代表的なものにパチンコ機などの弾球遊技機がある。また、スロットマシンの一種でいわゆるパチスロと呼ばれる遊技機のように、特別な図柄（例えば７７７）が揃うと景品体の払出に加えて、遊技状態を特別遊技に変化させるものもある。
【０００３】
このような図柄表示装置の多くでは、図柄は複数行複数列（例えば３行３列）のマトリクス状に表示され、そのマトリクスの行に沿った直線または対角線に沿った直線（普通、これらを当たりラインとか入賞ラインという。）に沿った図柄の組み合わせが当たりに設定されている組み合わせであると、上記のような景品体の払出や特別遊技等の特典が与えられる。なお、スロットマシンではベット数によって有効な当たりラインの本数が変更されるのが普通である。
【０００４】
従来の図柄表示装置の場合、図柄が描かれているリール（ドラム）やベルトの回転（変動表示）と停止（静止表示）で図柄を表示する機械的な表示手段を備えるものと液晶やＣＲＴ等の電気的な表示手段により図柄の変動と静止表示を行うものとがある。さらに、これらの表示手段の前面側に透過型の液晶表示器を配して、この液晶表示器にて上述の当たりラインを表示したり、ゲームが実行されていないときに広告やシミュレーション表示を行うものがある（例えば特開平２−１９１８２号公報）。
【０００５】
【発明が解決しようとする課題】
ところで、従来の図柄表示装置の変動表示は上下方向のスクロール表示が主であり、いわゆるリーチ状態などで一時的に逆転する等、多少のバリエーションはあるにしても、変化に富んだものではなかった。また、特開平２−１９１８２号公報に開示される技術では、図柄の表示に液晶表示器の表示を重畳させるとしても、重畳表示されるのは当たりラインや広告等であって、この表示が例えば当たり外れを左右するようなものではなく、ゲーム性（娯楽性）にはあまり関係なかった。
【０００６】
また、遊技者側としても、当たりラインに沿った図柄により当たりの組み合わせが成立するかしないかだけが重要であり、例えばリーチ状態になった当たりラインにしか興味を示さない等、従来の図柄表示装置では遊技者の興趣を高めるには不足な点があった。
【０００７】
発明者は、前後２種類の表示を重畳させることで図柄表示装置の表示内容を豊富にし、また遊技者の興趣を高めることを目的として研究を行ってきたが、その研究過程において、後ろ側になる表示が見えにくくなるとう問題があることを発見した。
【０００８】
具体的には、遊技者が前後や左右に姿勢を変化させると、図３（ｂ）に一例を示すように後ろ側の図柄（例えば回転ドラムの表示面に描かれている図柄）が手前側の表示器の透明部（例えば透明ＥＬパネル）から外れてしまって、図柄全体を見ることができない現象（死角領域の発生）や、手前側の表示器に複数の表示域を設けた場合に、図４のＢ点〜Ｃ点からの視線のように、中央の表示域を透して隣接する表示域（この例では左の表示域）に対応する図柄（本来、中央の表示域には重畳しない図柄）が見えてしまうことがあり、遊技者が誤解したり、トラブルの原因となる等のおそれがあることに気づいた。
【０００９】
本発明は、図柄表示装置において重畳表示を行う場合に生じ得る、上記の問題を防止することを目的としている。
【００１０】
【課題を解決するための手段および発明の効果】
上記課題を解決するための請求項１記載の図柄表示装置は、複数の図柄表示部のそれぞれにおいて図柄を変動表示及び静止表示可能な図柄表示手段と、該図柄表示手段の前面側に配されて前記各図柄表示部に対応する複数の重畳表示域にて前記図柄表示部の表示に重畳する表示を行う前面側表示手段とを備える図柄表示装置において、前記前面側表示手段の中心軸上に設定される中心視点を中心として前後方向に±１５ｃｍ左右方向に±３０ｃｍの想定範囲内での遊技者の姿勢変化があっても該遊技者に認識される前記図柄表示部と重畳表示域との対応を確保して前記重畳表示域を透かしては該重畳表示域に対応する前記図柄表示部以外であって、該図柄表示部の隣の前記図柄表示部の前記図柄を視認不可能にすべく、前記図柄表示部と重畳表示域との相対位置または前記図柄表示部の寸法と重畳表示域の寸法との相対関係及び前記重畳表示域の寸法と前記図柄の寸法との相対関係が設定されているので、遊技者が前後や左右に姿勢すなわち目の位置を変化させても、遊技者に認識される図柄表示部と重畳表示域との対応が確保され、例えば図柄表示部の一部が死角になって見えなかったり、隣の図柄表示部の図柄が見えて図柄の組み合わせを誤認識するような不具合は発生しないし、例えば隣接する図柄表示部の図柄が見えてしまって当たりラインに並ぶ図柄を特定できなくなるといった不都合を防止できる。
【００１１】
この発明の図柄表示手段としては、図柄が描かれているリール（ドラム）やベルト等の回転体の回転と停止で図柄を表示する機械的な表示手段を備えるものでも、液晶、ＣＲＴ、ＬＥＤのドットマトリクス、７セグメントＬＥＤ等の電気的な表示手段により図柄の変動と静止表示を行うものでも、どちらでも構わない。また、機械的な表示手段と電気的な表示手段とを組み合わせてもよい。
【００１２】
この図柄表示手段の前面側すなわち遊技者側に配される前面側表示手段は、図柄表示手段の表示に重畳する表示を行うので、表示自体（例えば図柄、文字、記号など）は不透明でもよいが、その周囲は透明または透光性であることを要する。もちろん、表示自体が透光性であっても構わない。具体的な例として透明ＥＬ（エレクトロルミネッセンス）パネルや透過型の液晶表示器が例示される。
【００１３】
この図柄表示装置はスロットマシンやパチンコ機などの遊技機に装備されるが、遊技機の種類は問わない。また、図柄表示装置の表示結果により遊技機がどのような動作をするかも問わないが、従来技術の説明で述べたように、景品体を払い出したり遊技者に特典（特別遊技など）を付与するものが好ましい。
【００１７】
大多数の遊技店では遊技者用の椅子は位置が固定されている（回転可能なものはあるが設置位置は変化しない）。また、隣の椅子との間隔は遊技機の横幅に対応して広くはなく、後ろ側の通路部分もあまり広くはないし上半身を反り返らせるにも限度がある。したがって、遊技者が椅子に座ったままで姿勢を変化させ得る範囲はそう広範囲ではない。より具体的には、前後方向にそれぞれ１５ｃｍ程度、左右方向にそれぞれ３０ｃｍ程度の範囲である。よって、前面側表示手段の中心軸上つまり表示の中心線上に設定される中心視点を中心として前後方向に±１５ｃｍ、左右方向に±３０ｃｍの範囲で遊技者の姿勢変化の想定範囲を設定すれば、上述の効果を確実ならしめる。
【００１９】
【発明の実施の形態】
次に、本発明の実施例により発明の実施の形態を説明する。
【００２０】
【実施例】
この実施例は、本発明に係る図柄表示装置を遊技機の一種であるスロットマシンに装備した例である。
図１に示すように、スロットマシン１０の筐体１２の前面部には本体フレーム１４が図示しないヒンジを介して取り付けられており、常時は施錠されているが解錠すれば扉状に開くことができる。また、本体フレーム１４の下方には受け皿１６が取り付けられ、多数のスリットにて形成された窓の背後にスピーカ１８が配されている。
【００２１】
本体フレーム１４は上区画１４ａ、中区画１４ｂ及び下区画１４ｃに区分され、上区画１４ａ及び下区画１４ｃには装飾パネル２２ａ、２２ｂが装着されている。
中区画１４ｂには、図柄の表示や遊技者が操作する部材等が配されているので詳しく説明する。まず中区画１４ｂには矩形の窓２４が設けられ、ここに前面パネル２６が填め込まれている。前面パネル２６自体は不透明で装飾画等が描かれている。前面パネル２６の中央部には３カ所の小窓が設けられ、それぞれに透明ＥＬパネル２８ａ、２８ｂ、２８ｃが填め込まれているので、透明ＥＬパネル２８ａ、２８ｂ、２８ｃを透して、それらの背後側を見ることができる。なお、透明ＥＬパネル２８ａ、２８ｂ、２８ｃは公知のものを使用しているので、その構造等の説明は省略する。また、いうまでもないことではあるが、透明ＥＬパネル２８ａ、２８ｂ、２８ｃが文字や図形などを表示している場合には、それら文字等が視線を遮ることがある。
【００２２】
本実施例では、これら透明ＥＬパネル２８ａ、２８ｂ、２８ｃはそれぞれ重畳表示域に該当し、３枚の透明ＥＬパネル２８ａ、２８ｂ、２８ｃにて前面側表示手段が構成される。本実施例では複数枚の透明ＥＬパネルを使用しているが、１枚の透明ＥＬパネルを複数領域に分割して重畳表示域を形成してもよい。
【００２３】
各透明ＥＬパネル２８ａ、２８ｂ、２８ｃの背後には、それぞれ回転ドラム３０ａ、３０ｂ、３０ｃが配されている。これら回転ドラム３０ａ、３０ｂ、３０ｃは図柄表示手段に該当し、透明ＥＬパネル２８ａ、２８ｂ、２８ｃを透して見える部分がそれぞれ図柄表示部に該当する。回転ドラム３０ａ、３０ｂ、３０ｃにより図柄表示手段が構成され、透明ＥＬパネル２８ａ、２８ｂ、２８ｃによる前面側表示手段と共に図柄表示装置を構成している。なお回転ドラム３０ａ、３０ｂ、３０ｃの詳細構造等は公知のスロットマシンと同様であるので、図示と説明は省略する。
【００２４】
窓２４の下縁部３３にはクレジットスイッチ３４、ベットスイッチ３６及びメダル投入口３８が設置されている。また下縁部３３に連接して垂下している鉛直部４０には、スタートレバー４２、ストップスイッチ４４ａ、４４ｂ、４４ｃ、ＥＬストップスイッチ４５が配されている。
【００２５】
図２に示すように、回転ドラム３０ａ、３０ｂ、３０ｃの胴部分には＄、７、Ｘ等の各種の図柄３１が備わっている。本実施例の場合、各回転ドラム３０ａ、３０ｂ、３０ｃには２１個ずつの図柄３１が描かれており（図柄３１の種類は１つのドラムで重複するものがあるので２１種類より少ない。）、回転ドラム３０ａ、３０ｂ、３０ｃの回転により、複数の図柄３１を上下方向にスクロール表示すなわち変動表示できる。また、回転ドラム３０ａ、３０ｂ、３０ｃが停止した際には、透明ＥＬパネル２８ａ、２８ｂ、２８ｃを透して、各３つの図柄３１が静止表示される。
【００２６】
一方、各透明ＥＬパネル２８ａ、２８ｂ、２８ｃは、回転ドラム３０ａ、３０ｂ、３０ｃが停止したときの図柄３１（すなわち静止表示されている図柄３１）に重畳する位置に重畳図柄３２を表示することができる。重畳図柄３２は、各透明ＥＬパネル２８ａ、２８ｂ、２８ｃに対応する回転ドラム３０ａ、３０ｂ、３０ｃの図柄３１と同種類のものが用意されており、図２に示す透明ＥＬパネル２８ｃの中段のように、回転ドラム３０ｃの中段に静止表示されている図柄３１と同じ種類を表示したり、その下段の場合のように異なる種類を表示したりする。
【００２７】
なお、透明ＥＬパネル２８ｃと回転ドラム３０ｃの中段の例のように、図柄３１と重畳図柄３２とが同じ場合に手前側の重畳図柄３２が背後の図柄３１を覆い隠さないように（遊技者が背後の図柄３１を認識可能にするために）、本実施例においては重畳図柄３２の表示位置を図柄３１の表示位置とはわずかにずらす設定となっている。
【００２８】
また、ゲーム状態により一部の重畳図柄３２（８個以下）しか表示されない場合（図２の場合）、９個全てが表示される場合、全く表示されない場合がある。本実施例の場合、透明ＥＬパネル２８ａ、２８ｂ、２８ｃの表示領域は、回転ドラム３０ａ、３０ｂ、３０ｃの遊技者側から見える外形よりも大きいので、図３（ａ）に示すように、遊技者の視線が変化しても各透明ＥＬパネル２８ａ、２８ｂ、２８ｃを透して各回転ドラム３０ａ、３０ｂ、３０ｃの表示面（遊技者に対面している部分）を確実に見ることができ、図３（ｂ）に例示するような死角領域は発生しない。したがって、遊技者にとって重要となる当たり外れ等を表示するために静止表示された図柄３１を欠くことなく視認できるから、不完全な見え方が原因となる誤解やトラブルを好適に防止できる。
【００２９】
このスロットマシン１０によるゲームは、いわゆるパチスロと呼ばれる形式の遊技機と似ているが透明ＥＬパネル２８ａ、２８ｂ、２８ｃによる表示もゲームに影響する点で従来のパチスロとは異なるので、以下に説明する。
まず、ゲームを実行するためにはメダル（コイン状の金属片）の投入が必要となる。メダルはメダル投入口３８から投入される。１ゲームに賭けることができるメダル枚数（ベット数）は１〜３枚で、その枚数により入賞ラインが増減する。具体的には、ベット数が１枚なら中段の横一列が有効な入賞ラインとされ、ベット数が２枚ならさらに上段と下段の横一列（計３ライン）が有効な入賞ラインとされ、ベット数が３枚ならさらに対角線に沿った２ライン（計５ライン）が有効な入賞ラインとされる。
【００３０】
また、予め多数のメダルを投入しておいて（クレジットにして）、ゲームを行うことも可能である。クレジットゲームを行うには、まずクレジットスイッチ３４をオン操作し、所望枚数のメダルをメダル投入口３８から投入すれば、その枚数がクレジット数として記憶される。なお、本実施例の場合、一度にクレジットとして投入できるメダルは５０枚が上限である。そして、クレジットゲームの場合には、ベットスイッチ３６を操作してベット数を選択する。１回操作するとベット数が１枚、２回操作すると２枚、３回操作すれば３枚であり、ベット数分だけクレジット数が減算される。有効な入賞ラインは上記のメダル投入によるベットの場合と同様である。
【００３１】
メダルの投入あるいはベットスイッチ３６の操作により有効な入賞ラインを決めてから、スタートレバー４２を押し下げるとゲーム開始となって各回転ドラム３０ａ、３０ｂ、３０ｃが回転を開始する。
次にストップスイッチ４４ａ、４４ｂ、４４ｃを操作すると、そのストップスイッチ４４ａ、４４ｂ、４４ｃに対応する回転ドラム３０ａ、３０ｂ、３０ｃが停止して図柄３１が静止表示される。３つの回転ドラム３０ａ、３０ｂ、３０ｃがすべて停止した際に有効な入賞ラインに静止表示された図柄３１にて当たりの組み合わせが成立していれば、その組み合わせに対応する枚数のメダルが受け皿１６に払い出される。なお、クレジットゲームの場合、払出数に応じてクレジット数が加算され、クレジットスイッチ３４を操作することでクレジットゲームを終了すれば、クレジット数に相当するメダルが受け皿１６に払い出される。
【００３２】
このときに特別な組み合わせ（例えば７７７）が成立していればボーナスゲームあるいはビッグボーナスゲームを実行可能な遊技モードになり、多数の払出を獲得することが可能となる。
また、回転ドラム３０ａ、３０ｂ、３０ｃの回転開始とほぼ同時に透明ＥＬパネル２８ａ、２８ｂ、２８ｃの表示も変化を開始し、遊技者がＥＬストップスイッチ４５を操作すると透明ＥＬパネル２８ａ、２８ｂ、２８ｃによる重畳図柄３２の表示が静止する。なお、全部の回転ドラム３０ａ、３０ｂ、３０ｃの停止後設定時間（例えば５秒程度）経過してもＥＬストップスイッチ４５が操作されてないときには、透明ＥＬパネル２８ａ、２８ｂ、２８ｃによる重畳図柄３２の表示が自動的に静止する。
【００３３】
本実施例の場合、回転ドラム３０ａ、３０ｂ、３０ｃに静止表示された図柄３１と透明ＥＬパネル２８ａ、２８ｂ、２８ｃの重畳図柄３２との組み合わせや特定の重畳図柄３２の表示位置などにより、遊技者に特典が与えられる。一例を図２により説明する。
【００３４】
図２には、全部の回転ドラム３０ａ、３０ｂ、３０ｃが停止して透明ＥＬパネル２８ａ、２８ｂ、２８ｃによる重畳図柄３２の表示も確定した状態を示している。この例では、中央の透明ＥＬパネル２８ｂの中段の重畳図柄３２はＸ、右の透明ＥＬパネル２８ｃは中段に重畳図柄３２として７を下段にはＸを表示している。一方、回転ドラム３０ａ、３０ｂ、３０ｃによる図柄３１の表示においては、Ｘが回転ドラム３０ａの下段、回転ドラム３０ｂの中段と下段、回転ドラム３０ｃの上段に表示されている。この場合、下段の入賞ラインを見ると、回転ドラム３０ａ、３０ｂによるＸと透明ＥＬパネル２８ｃによるＸとを組み合わせることによりＸＸＸの組み合わせが成立し、右上がり斜めの入賞ラインを見ると、回転ドラム３０ａによるＸ、透明ＥＬパネル２８ｂによるＸ及び回転ドラム３０ｃによるＸとによりＸＸＸの組み合わせが成立している。
【００３５】
本実施例では、この例のように図柄３１と重畳図柄３２とを組み合わせれば当たりの組み合わせが成立する場合も図柄３１だけによる当たりの成立と同様に扱う。したがって、図２の例ではＸＸＸに対応する払出が行われる。
このように、図柄３１と重畳図柄３２との組み合わせも有効とすることによって、図柄表示における興趣を高めることができる。
【００３６】
また、この例以外に、例えば中央の透明ＥＬパネル２８ｂの中段の重畳図柄３２（つまりマトリクスの中心になる重畳図柄３２）が特定の図柄例えば７であった時に限って、回転ドラム３０ａ、３０ｂ、３０ｃの図柄３１と透明ＥＬパネル２８ａ、２８ｂ、２８ｃの重畳図柄３２との組み合わせを有効としたり、いずれかの位置で重なり合って表示された図柄３１と重畳図柄３２が共に７であったときに限って回転ドラム３０ａ、３０ｂ、３０ｃの図柄３１と透明ＥＬパネル２８ａ、２８ｂ、２８ｃの重畳図柄３２との組み合わせを有効とする等も可能である。
【００３７】
以上の通り、本実施例の場合、回転ドラム３０ａ、３０ｂ、３０ｃの図柄３１と透明ＥＬパネル２８ａ、２８ｂ、２８ｃの重畳図柄３２との組み合わせを有効とし、それらによって当たりの組み合わせが成立している場合もメダルの払出があるので、図柄表示のバリエーションが豊富になり興趣を高めることができる。特に、透明ＥＬパネル２８ａ、２８ｂ、２８ｃの重畳図柄３２が当たりを決めることがあるので、この表示に対する遊技者の注目度は高い。
【００３８】
しかも、透明ＥＬパネル２８ａ、２８ｂ、２８ｃの表示領域は、回転ドラム３０ａ、３０ｂ、３０ｃの遊技者側から見える外形よりも大きいので、遊技者の視線が変化しても各透明ＥＬパネル２８ａ、２８ｂ、２８ｃを透して各回転ドラム３０ａ、３０ｂ、３０ｃの表示面（遊技者に対面している部分）を確実に見ることができ、死角領域は発生しない。したがって、遊技者にとって重要となる当たり外れ等を表示するために静止表示された図柄３１を欠くことなく視認できるから、不完全な見え方が原因となる誤解やトラブルを好適に防止できる。
（配置の設定例）
透明ＥＬパネル２８ａ、２８ｂ、２８ｃから隣の回転ドラム３０ａ、３０ｂ、３０ｃの図柄が見えるのを防止するための設定例を説明する。
【００３９】
図４は、透明ＥＬパネル２８ａ、２８ｂ、２８ｃ同士の間隔（不透明部分の幅）、透明ＥＬパネル２８ａ、２８ｂ、２８ｃと回転ドラム３０ａ、３０ｂ、３０ｃの表示面との間隔等の設定例である。
まず、遊技者の姿勢（視点）の移動範囲を、中央（中央の透明ＥＬパネル２８ｂの軸線Ｐ）から左右方向の最大移動幅（横最大移動幅Ｌｙ）を３０ｃｍ、左右方向の通常の移動幅（横通常移動幅Ｌｘ）を１０ｃｍと想定する。また、前後方向については、近づきすぎると表示されている図柄３１及び重畳図柄３２を見渡す（全部見る）ことが難しくなり、遠すぎるとストップスイッチ４４ａ、４４ｂ、４４ｃを操作するのが容易ではなくなるから、透明ＥＬパネル２８ａ、２８ｂ、２８ｃから３０ｃｍ（接近距離Ｌ１）〜６０ｃｍ（離隔距離Ｌ２）と想定する。
【００４０】
すると、最も厳しいケースとしてはＣ点（Ｌｙ＝３０ｃｍ、Ｌ１＝３０ｃｍ）またはこれと対照の位置からの視線となる。一方、一般的なパチスロで使用されている回転ドラム３０ａ、３０ｂ、３０ｃの表示面の幅は６〜８ｃｍであるから、これに重畳させる透明ＥＬパネル２８ａ、２８ｂ、２８ｃの幅Ｌｚを８ｃｍとする。そうすると、透明ＥＬパネル２８ｂの透明ＥＬパネル２８ａ側の端面の延長線ＱとＣ点からの視線との角度Θｃ＝約４８．６度となる。さらに、透明ＥＬパネル２８ａ、２８ｂ、２８ｃ同士の間隔Ｌｃは、遊技者の見易さを考慮して１．５ｃｍとする。
【００４１】
これらの条件では、Ｃ点からの視線では回転ドラム３０ａの表示面を完全に見えなくするには、透明ＥＬパネル２８ａと回転ドラム３０ａの表示面との距離Ｌｂを１．３ｃｍ以下にする必要がある（透明ＥＬパネル２８ｃと回転ドラム３０ｃについても同様にする）。
【００４２】
ただし、通常の使われ方を考えると、Ａ点からの視線で回転ドラム３０ａの表示面が見えなければ問題はない。つまり、透明ＥＬパネル２８ａ、２８ｂ、２８ｃからの距離Ｌ３＝４５ｃｍで、左右方向の姿勢変化が横通常移動幅Ｌｘ＝１０ｃｍの範囲である。この場合も、Ｌｚ＝８ｃｍ、Ｌｃ＝１．５ｃｍとすると、透明ＥＬパネル２８ａと回転ドラム３０ａの表示面との距離Ｌｂを４．８ｃｍ以下にする必要がある（透明ＥＬパネル２８ｃと回転ドラム３０ｃについても同様にする）。
【００４３】
このように、遊技者の姿勢変化の範囲を想定し、透明ＥＬパネル２８ａ、２８ｂ、２８ｃの幅、回転ドラム３０ａ、３０ｂ、３０ｃの幅、透明ＥＬパネル２８ａ、２８ｂ、２８ｃ同士の間隔を考慮して、透明ＥＬパネル２８ａ、２８ｂ、２８ｃと回転ドラム３０ａ、３０ｂ、３０ｃの表示面との距離Ｌｂを設定することにより、透明ＥＬパネル２８ａ、２８ｂ、２８ｃから隣の回転ドラム３０ａ、３０ｂ、３０ｃの図柄が見えるのを防止でき、そのような見え方が原因となる誤解やトラブルを回避できる。
【００４４】
なお、この設定例はあくまでも一例であり、これ以外の設定でも可能であり、またここに例示しなかった要素（寸法、距離、形状等）の設定で同様な効果を得ることもできる。
（隔壁による例）
図５に示すのは、透明ＥＬパネル２８ａ、２８ｂ、２８ｃから隣の回転ドラム３０ａ、３０ｂ、３０ｃの図柄が見えるのを防止するために隔壁を設置する例である。
【００４５】
この場合、透明ＥＬパネル２８ａ、２８ｂ間及び透明ＥＬパネル２８ｂ、２８ｃ間に隔壁部材５１を配しているので、透明ＥＬパネル２８ｂを透して回転ドラム３０ａ、３０ｃの図柄が見えるのを防止できる。また、透明ＥＬパネル２８ａを透して回転ドラム３０ｂの図柄が見えるのや、透明ＥＬパネル２８ｃを透して回転ドラム３０ｂの図柄が見えるのも防止できる。よって、透明ＥＬパネル２８ａ、２８ｂ、２８ｃから隣の回転ドラム３０ａ、３０ｂ、３０ｃの図柄が見えてしまうことはなく、そのような見え方が原因となる誤解やトラブルを回避できる。
【００４６】
隔壁部材５１の奥行き寸法は透明ＥＬパネル２８ａ、２８ｂ、２８ｃと回転ドラム３０ａ、３０ｂ、３０ｃとの距離に応じて決めればよい。ただし、図示するように隔壁部材５１の奥行き寸法を大きめにしておけば、透明ＥＬパネル２８ａ、２８ｂ、２８ｃと回転ドラム３０ａ、３０ｂ、３０ｃとの距離が近い場合（位置Ａ）と遠い場合（位置Ｂ）のいずれにも対応できる。
（図柄の寸法による例）
図６に示すのは、透明ＥＬパネル２８ａ、２８ｂ、２８ｃから隣の回転ドラム３０ａ、３０ｂ、３０ｃの図柄が見えるのを防止するために、透明ＥＬパネル２８ａ、２８ｂ、２８ｃの幅寸法と図柄３１の幅寸法とを調節する例である。
【００４７】
具体的には、透明ＥＬパネル２８ａ、２８ｂ、２８ｃの幅は回転ドラム３０ａ、３０ｂ、３０ｃの幅よりも小さいが、図柄３１は回転ドラム３０ａ、３０ｂ、３０ｃの幅一杯には描かれておらず、しかも透明ＥＬパネル２８ａ、２８ｂ、２８ｃの幅よりも十分に小さい（例えば透明ＥＬパネル２８ａ、２８ｂ、２８ｃの幅の１／２程度）。このため、遊技者の視点が前後左右に（特に左右に大きく）変化しても、透明ＥＬパネル２８ａ、２８ｂ、２８ｃを透して見える、それぞれに対応する回転ドラム３０ａ、３０ｂ、３０ｃの図柄が欠ける（死角領域が生じる）ことはなく、遊技者にとって重要となる当たり外れ等を表示するために静止表示された図柄３１を完全に視認できる。よって、図柄３１の不完全な見え方が原因となる誤解やトラブルを好適に防止できる。
【００４８】
以上、実施例等に従って、本発明の実施の形態について説明したが、本発明はこれらの例に限定されるものではなく、本発明の要旨を逸脱しない範囲でさまざまに実施できることは言うまでもない。
例えば、実施例では遊技機としてのスロットマシンに本発明の図柄表示装置を装備した例を説明したが、本発明の図柄表示装置は、他の形式の遊技機例えばパチンコ機やアレンジボール式パチンコ機等の弾球遊技機に装備することも可能である。要すれば、図柄（文字、記号、図形など）の組み合わせによりメダルや賞球などの景品体が払い出されたり、ゲームの状態が変化したりする遊技機なら、どのようなものにでも装備できる。
【００４９】
また、回転ドラム３０ａ、３０ｂ、３０ｃ等の図柄表示手段の図柄３１と前面側表示手段としての透明ＥＬパネル２８ａ、２８ｂ、２８ｃの重畳図柄３２との組合せにより、例えば図２のＸＸＸに示されるような当たりラインが設定されているが、遊技方法としては当たりラインが設定されなくとも例えば図柄３１と重畳図柄３２との図柄が揃えばメダル１００枚払出を行う等の、図柄３１と重畳図柄３２との図柄の一致により当たりとする遊技方法も設定可能である。
【００５０】
さらに、例えばメダルの投入枚数に応じて上記前面側表示手段の重畳図柄３２と上記図柄表示手段の図柄３１との組合せによる遊技方法か、または重畳図柄３２での表示を行わないようにして図柄３１のみによる通常の遊技方法かの選択ができるようにしてもよい。この場合、後者の遊技方法を選択した場合は、前面側表示手段として上述のように透明ＥＬパネル２８ａ、２８ｂ、２８ｃを採用すれば、該パネルを透して背後の上記図柄３１を目視できるので、遊技には何ら支障はない。
【図面の簡単な説明】
【図１】  実施例のスロットマシンの正面図である。
【図２】  実施例の図柄表示装置における透明ＥＬパネルと回転ドラムの寸法関係と表示例の説明図である。
【図３】  実施例の図柄表示装置において死角領域が生じないことの説明図である。
【図４】  透明ＥＬパネルと回転ドラムの表示面との間隔等の設定を説明する模式図である。
【図５】  隣の回転ドラムの図柄が見えるのを隔壁部材によって防止する例の説明図である。
【図６】  回転ドラムの図柄の寸法により隣の回転ドラムの図柄が見えるのを隔壁部材によって防止する例の説明図である。
【符号の説明】
１０…スロットマシン（遊技機）
２８ａ、２８ｂ、２８ｃ…透明ＥＬパネル（重畳表示域、前面側表示手段）３０ａ、３０ｂ、３０ｃ…回転ドラム（図柄表示手段）
３１…図柄
３２…重畳図柄
５１…隔壁部材
【図１】
0003810244.tif 000002
【図２】
0003810244.tif 000003
【図３】
0003810244.tif 000004
【図４】
0003810244.tif 000005
【図５】
0003810244.tif 000006
【図６】
0003810244.tif 000007